(57)【要約】ある特定の実施例では、ネットワーク／基地局は、ランダムアクセスチャネルRACHで送信されるアップリンクメッセージに含める情報の優先順位付け方法をユーザ装置に指示する指示子をブロードキャストする（302）。例えば、前記指示子のある値は、同一周波数の測定結果よりも異周波数の測定結果を優先してアップリンクメッセージに含めるようユーザ装置に指示し、指示子の別の値は（または値がない場合）、同一周波数の隣接セル測定が異周波数の隣接セル測定よりも優先してアップリンクメッセージに含められるように指示する（304）。ブロードキャスト指示子を受信した（310）UEは、ブロードキャスト指示子に従って優先順位付けされる情報を含むアップリンクメッセージを、最大メッセージサイズを超過しないように構成する（312）。【選択図】図３A、図３B
2014505446.tif 000002
【特許請求の範囲】
【請求項１】
処理システムを備える装置であって、前記処理システムは少なくとも、
ランダムアクセスチャネルで送信されるアップリンクメッセージに含める情報の優先順位付け方法をユーザ装置に指示する指示子をブロードキャストすること、
を前記装置に実行させるように構成される、装置。
【請求項２】
前記指示子の第１の値は、同一周波数の隣接セル測定よりも異周波数の隣接セル測定を優先して前記アップリンクメッセージに含めるよう前記ユーザ装置に指示し、
前記処理システムは、前記指示子の第２の値をブロードキャストすること、または前記指示子をブロードキャストしないことによって、異周波数の隣接セル測定よりも同一周波数の隣接セル測定を優先して前記アップリンクメッセージに含めるよう前記ユーザ装置に指示することを前記装置に実行させるように構成される、
請求項１に記載の装置。
【請求項３】
前記アップリンクメッセージのサイズには上限があり、
前記指示子の第１の値は、前記上限を超えないようにするために必要なだけ同一周波数の隣接セル測定を前記アップリンクメッセージから除外するよう前記ユーザ装置に指示する、
請求項２に記載の装置。
【請求項４】
前記指示子は、UTRANまたはE-UTRAN無線システムのアクセスノードからブロードキャストチャネルでシステム情報に送信される、請求項１から３の何れかに記載の装置。
【請求項５】
前記指示子は第１指示子であり、
前記処理システムは、前記装置が別のメッセージタイプをサポートすることを示す第２指示子を前記システム情報にブロードキャストすることを前記装置に実行させるように構成される、
請求項１から４の何れかに記載の装置。
【請求項６】
前記指示子は第１指示子であり、
前記処理システムは、前記ランダムアクセスチャネルで送信される前記アップリンクメッセージに前記ユーザ装置の機能よりも隣接セル測定を優先して含めるための追加指示子を前記システム情報にブロードキャストすることを前記装置に実行させるように構成される、
請求項１から５の何れかに記載の装置。
【請求項７】
第１ケースにおいて、第１の値を有する指示子をブロードキャストすることによって、ランダムアクセスチャネルで送信されるアップリンクメッセージに同一周波数の隣接セル測定よりも異周波数の隣接セル測定を優先して含めるようユーザ装置に指示することと；
第２ケースにおいて、前記指示子の第２の値をブロードキャストすること、または前記指示子をブロードキャストしないことによって、前記ランダムアクセスチャネルで送信されるアップリンクメッセージに異周波数の隣接セル測定よりも同一周波数の隣接セル測定を優先して含めるよう前記ユーザ装置に指示することと；
を含む、方法。
【請求項８】
前記アップリンクメッセージのサイズには前記第１および第２ケースにおいて上限があり、
前記指示子の第１の値は、前記上限を超えないようにするために必要なだけ同一周波数の隣接セル測定を前記アップリンクメッセージから除外するよう前記ユーザ装置に指示する、
請求項７に記載の方法。
【請求項９】
前記指示子は、ブロードキャストチャネルでシステム情報に送信され、前記方法は、UTRANまたはE-UTRAN無線システムのアクセスノードで実行される、請求項７または８に記載の方法。
【請求項１０】
前記指示子は第１指示子であり、
前記第１および第２ケースの各々において、前記アクセスノードが別のメッセージタイプをサポートすることを示す第２指示子を前記システム情報にブロードキャストすること、
を含む、請求項９に記載の方法。
【請求項１１】
前記指示子は第１指示子であり、
前記第１および第２ケースの各々において、前記ランダムアクセスチャネルで送信される前記アップリンクメッセージに前記ユーザ装置の機能よりも隣接セル測定を優先して含めるための追加指示子を前記システム情報にブロードキャストすること、
を含む、請求項９または１０に記載の方法。
【請求項１２】
ランダムアクセスチャネルで送信されるアップリンクメッセージに含める情報の優先順位付け方法をユーザ装置に指示する指示子をブロードキャストすること、
を装置に実行させるように構成される命令を含む、コンピュータプログラム。
【請求項１３】
前記指示子の第１の値は、同一周波数の測定よりも異周波数の測定を優先して前記アップリンクメッセージに含めるよう前記ユーザ装置に指示し、
前記指示子の第２の値をブロードキャストすること、または前記指示子をブロードキャストしないことによって、異周波数の測定よりも同一周波数の測定を優先して前記アップリンクメッセージに含めるようユーザ装置に指示することを前記装置に実行させるように構成される命令を含む、
請求項１２に記載のコンピュータプログラム。
【請求項１４】
前記アップリンクメッセージのサイズには上限があり、
前記指示子の第１の値は、前記上限を超えないようにするために必要なだけ同一周波数の隣接セル測定を前記アップリンクメッセージから除外するよう前記ユーザ装置に指示する、
請求項１３に記載のコンピュータプログラム。
【請求項１５】
前記指示子がUTRANまたはE-UTRAN無線システムのアクセスノードからブロードキャストチャネルでシステム情報に送信される命令を含む、請求項１２から１４の何れかに記載のコンピュータプログラム。
【請求項１６】
前記指示子は第１指示子であり、
前記装置が別のメッセージタイプをサポートすることを示す第２指示子を前記システム情報にブロードキャストすること、前記装置に実行させるように構成される命令を含む、
請求項１２から１５の何れかに記載のコンピュータプログラム。
【請求項１７】
前記指示子は第１指示子であり、
前記ランダムアクセスチャネルで送信される前記アップリンクメッセージに前記ユーザ装置の機能よりも隣接セル測定を優先して含めるための追加指示子を前記システム情報にブロードキャストすること、を前記装置に実行させるように構成される命令を含む、
請求項１２から１６の何れかに記載のコンピュータプログラム。
【請求項１８】
処理システムを備える装置であって、前記処理システムは少なくとも、
ランダムアクセスチャネルで送信されるアップリンクメッセージを構成することであって、前記アップリンクメッセージは、受信したブロードキャスト指示子に従って優先順位付けされる情報を、最大メッセージサイズを超過しないように含む、前記構成することを、
を前記装置に実行させるように構成される、装置。
【請求項１９】
前記指示子の第１の値は、異周波数の隣接セル測定が同一周波数の隣接セル測定よりも優先して前記アップリンクメッセージに含められるように指示し、
前記指示子の第２の値または前記指示子の省略は、同一周波数の隣接セル測定が異周波数の隣接セル測定よりも優先して前記アップリンクメッセージに含められるように指示する、
請求項１８に記載の装置。
【請求項２０】
前記装置はユーザ装置を備え、前記指示子は、UTRANまたはE-UTRAN無線システムのアクセスノードからブロードキャストチャネルでシステム情報において受信される、請求項１８または１９に記載の装置。
【請求項２１】
前記指示子は第１指示子であり、
前記処理システムは、前記アクセスノードが別のメッセージタイプをサポートすることを示すブロードキャストされた第２指示子をシステム情報において受信することであって、前記メッセージタイプのうち別のものは前記優先順位付けされた情報に対して異なる容量を許容する、前記受信すること、
を前記装置に実行させるように構成される、請求項２０に記載の装置。
【請求項２２】
前記指示子は第１指示子であって、
前記処理システムは、前記ランダムアクセスチャネルで送信される前記アップリンクメッセージに前記ユーザ装置の機能よりも隣接セル測定を優先して含めるためのブロードキャストされた追加指示子を前記システム情報において受信することと；
前記ブロードキャスト指示子および追加指示子に従って優先順位付けされる情報を含むアップリンクメッセージを、最大メッセージサイズを超過しないように構成することと；
を前記装置に実行させるように構成される、請求項２０または２１に記載の装置。
【請求項２３】
ランダムアクセスチャネルで送信されるアップリンクメッセージに含める情報を優先順位付けするブロードキャスト指示子を受信することと；
前記ブロードキャスト指示子に従って優先順位付けされる情報を含むアップリンクメッセージを、最大メッセージサイズを超過しないように構成することと；
を含む、方法。
【請求項２４】
前記指示子の第１の値は、異周波数の隣接セル測定が同一周波数の隣接セル測定よりも優先して前記アップリンクメッセージに含められるように指示し、
前記指示子の第２の値または前記指示子の省略は、同一周波数の隣接セル測定が異周波数の隣接セル測定よりも優先して前記アップリンクメッセージに含められるように指示する、
請求項２３に記載の方法。
【請求項２５】
前記方法はユーザ装置によって実行され、前記指示子は、UTRANまたはE-UTRAN無線システムのアクセスノードからブロードキャストチャネルでシステム情報において受信される、請求項２３または２４に記載の方法。
【請求項２６】
前記指示子は第１指示子であって、
前記アクセスノードが別のメッセージタイプをサポートすることを示すブロードキャストされた第２指示子をシステム情報において受信することであって、前記メッセージタイプのうち別のものは前記優先順位付けされた情報に対して異なる容量を許容する、前記受信すること、
を含む、請求項２５に記載の方法。
【請求項２７】
前記指示子は第１指示子であって、
前記ランダムアクセスチャネルで送信される前記アップリンクメッセージに前記ユーザ装置の機能よりも隣接セル測定を優先して含めるためのブロードキャストされた追加指示子を前記システム情報において受信することと；
前記ブロードキャスト指示子および追加指示子に従って優先順位付けされる情報を含むアップリンクメッセージを、最大メッセージサイズを超過しないように構成することと；
を含む、請求項２５または２６に記載の方法。
【請求項２８】
ランダムアクセスチャネルで送信されるアップリンクメッセージに含める情報を優先順位付けするブロードキャスト指示子を受信すること、を装置が実行できるように構成される命令と；
前記ブロードキャスト指示子に従って優先順位付けされる情報を含む前記アップリンクメッセージを、最大メッセージサイズを超過しないように構成すること、を前記装置が実行できるように構成される命令と；
を含む、コンピュータプログラム。
【請求項２９】
前記指示子の第１の値は、異周波数の隣接セル測定が同一周波数の隣接セル測定よりも優先して前記アップリンクメッセージに含められるように指示し、
前記指示子の第２の値または前記指示子の省略は、同一周波数の隣接セル測定が異周波数の隣接セル測定よりも優先して前記アップリンクメッセージに含められるように指示する、
請求項２８に記載のコンピュータプログラム。
【発明の詳細な説明】
【技術分野】
【０００１】
本発明は、アップリンクメッセージの情報を優先順位付けする方法，装置，コンピュータプログラムに関する。本発明の実施例および非限定的実施形態は概して、無線通信システムとその方法，装置，コンピュータプログラムに関する。具体的な実施形態においては、アップリンクRACHメッセージの効率的利用およびその効率性を実現するためのシグナリングに関する。
【背景】
【０００２】
本出願の明細書および／または添付の図面にて使用される略語の定義は次の通りである。
3GPP：第3世代パートナーシッププロジェクト（Third Generation Partnership Project）
AI：アクイジションインジケータ
AICH：アクイジションインジケータチャネル
BCCH：ブロードキャストチャネル
CCCH：共通制御チャネル
DL：ダウンリンク（基地局からUEに向かう)
IE：情報要素
MAC：メディアアクセス制御
Node B：基地局
RACH：ランダムアクセスチャネル
RRC：無線リソース制御
UE：ユーザ装置
UL：アップリンク（UEから基地局へ向かう）
UTRA：ユニバーサル地上無線アクセス（Universal Terrestrial Radio Access）
UTRAN：ユニバーサル地上無線アクセスネットワーク（Universal Terrestrial Radio Access Network）
UMTS：ユニバーサル移動通信システム（Universal Mobile Telecommunications System）
WCDMA（登録商標）：広域符号分割多元接続（wideband code division multiple access）
【０００３】
UEがネットワークに対してコンテンションベースのアクセスを獲得するために、種々の無線技術において様々なRACH手続が利用されている。RACHはCCCHの一種であり、UTRANシステムにおいて、RACH手続は、プレアンブル部とメッセージ部を含むアクセスメッセージを送信するUEを含む。WCDMA（登録商標）基地局への接続を求めるUEは、始めに、RACHにプレアンブル（シグネチャーシーケンス）を送信し、そのプレアンブルに対応するアクイジションインジケータAIをアクイジションインジケータチャネルAICHでリスンする。AIが受信されない場合、UEはこの手続を再び行い、対応するAIを受信するまで続ける。このとき、UEはアクセスメッセージのメッセージ部を送信することができ、そのメッセージ部もRACHのULで送信される。このメッセージ部は、UTRANではRRC接続要求（RRC Connection Request）と呼ばれる。
【０００４】
RACHにおいて、UEのRRC接続要求のトランスポートブロックサイズは厳しく制限されている。3GPPリリースの中にはこのメッセージを既に拡張しているものもあり、現行のメッセージは、そのサイズ限界と略同程度にまでなっている。具体的には、UL CCCHメッセージの最大サイズが166ビットで、RACHトランスポートブロックサイズ（168ビット）からMACヘッダのサイズ（2ビット）分少ないだけである。このビットサイズに関するより詳細な分析については、次の文献を参照してもよい：R2-105713，題名「Analysis on RACH Signalling」（3 GPP TSG-RAN WG2 Meeting #7 Ibis; Xian, China;2010年10月11-15日; by Nokia Corporation and Nokia Siemens Networks)。この文献は166ビットのサイズ制限が厳し過ぎる現状を示している。
【０００５】
UEがRRC接続要求においてRACHに報告する情報の一種に隣接セル測定がある。図1を検討すると、UEは、RRC接続要求を基地局AのRACHでその基地局に送信する。しかし、このUEは、基地局BとCがそれぞれ制御する別の二つのセルの境界付近にある。基地局Aは、UEに関するこれら別のセルからの隣接セル測定を行いたいため、適時適切にUEをハンドオーバーする決定を行うことができる。UEが定期的な移動でRRC接続状態にあるとき、異なる時刻に異なるチャネルで隣接セル測定を送信する間、UEがRACHにアクセスを試みると直ぐに、基地局Aはこの測定を行いたくなる。このため、基地局Aは、別の隣接基地局が要求するUEにとってより適切であれば、UEのRRC接続をその別の基地局にリダイレクトすることができる。
【０００６】
3GPPリリース7以降の機能をサポートするUEは、RACH基地局に隣接する同一および異なる周波数の両方に関して隣接セル測定をサポートする。こうしたUEに対し、ネットワーク／基地局Aはこの両タイプの隣接セルに関する測定結果をUEがRACHに送信するよう要求するかもしれない。しかし、そうした要求はRACHメッセージサイズの上限を超えることになる。
【０００７】
この問題を解決するために、現行の3GPP仕様では、UEがメッセージサイズを調べ、上限を超える場合、異周波数に関する結果で始まるRACH測定結果を省略するように規定されている。具体的には、3GPP TS 25.331 VIO.0.0の第8.5.23小節に以下が記載されている（強調箇所を下線で示す）：
【０００８】
1>CCCHに送信されるメッセージに関しては、「RACH測定結果」の情報要素を形成する際、メッセージの最大許容サイズを超えないように留意する。すなわち、包含する隣接セル数を制限するか、要求される場合、「RACH測定結果」の情報要素を完全に省略する。包含する隣接セル数を制限する場合、異周波数セルの数を最初に制限される、すなわち、同一周波数セルの数を制限する前に異周波数セルが削除される。
【０００９】
関連する教示として、以下の文献では、ASN.1（abstract syntax notation asn 1）において重要でない拡張インジケータを削除する新しいRACHメッセージタイプを導入している：文献R2-104524（TR 25.331 VIO.0.0に対する変更要求），題名「Addition of optimised RACH message types」（3 GPP TSG-RAN WG2 Meeting #71; Madrid, Spain; 2010年8月23-27日; by Nokia Corporation and Nokia Siemens Networks）。しかし、この新しいRACHメッセージタイプで節約されるメッセージ領域は十分ではなく、UEのUL RACHメッセージで異なる周波数と同一周波数の両隣接セルに関する測定を含めることはできない。
【００１０】
本願の発明者は、3GPPにおける現在の手法は静的な手法で過大な制約があると考える。一方、前述の新しいRACHメッセージでも解決手段とはならない。以降で記載する例示的実施形態によって、前述の問題は解決され、現行の3GPPや新規RACHメッセージタイプの何れに対しても非常に大きな拡張性がもたらされる。
【摘要】
【００１１】
本発明の第1側面に従って、次の装置が提供される：処理システムを備える装置であって、前記処理システムは少なくとも、ランダムアクセスチャネルで送信されるアップリンクメッセージに含める情報の優先順位付け方法をユーザ装置に指示する指示子をブロードキャストすること、を前記装置に実行させるように構成される、装置。
【００１２】
本発明の第2側面に従って、次の方法が提供される：第１ケースにおいて、第１の値を有する指示子をブロードキャストすることによって、ランダムアクセスチャネルで送信されるアップリンクメッセージに同一周波数の隣接セル測定結果よりも異周波数の隣接セル測定結果を優先して含めるようユーザ装置に指示することと、第２ケースにおいて、前記指示子の第２の値をブロードキャストすること、または前記指示子をブロードキャストしないことによって、前記ランダムアクセスチャネルで送信されるアップリンクメッセージに異周波数の隣接セル測定結果よりも同一周波数の隣接セル測定結果を優先して含めるよう前記ユーザ装置に指示することと、を含む、方法。
【００１３】
本発明の第3側面に従って、次のコンピュータプログラムが提供される：ランダムアクセスチャネルで送信されるアップリンクメッセージに含める情報の優先順位付け方法をユーザ装置に指示する指示子をブロードキャストすること、を装置に実行させるように構成される命令を含む、コンピュータプログラム。
【００１４】
本発明の第4側面に従って、次の装置が提供される：処理システムを備える装置であって、ランダムアクセスチャネルで送信されるアップリンクメッセージを構成することであって、前記アップリンクメッセージは、受信したブロードキャスト指示子に従って優先順位付けされる情報を、最大メッセージサイズを超過しないように含む、前記構成することを、を前記装置に実行させるように構成される、装置。
【００１５】
本発明の第5側面に従って、次の方法が提供される：ランダムアクセスチャネルで送信されるアップリンクメッセージに含める情報を優先順位付けするブロードキャスト指示子を受信することと；前記ブロードキャスト指示子に従って優先順位付けされる情報を含むアップリンクメッセージを、最大メッセージサイズを超過しないように構成することと；を含む、方法。
【００１６】
本発明の第6側面に従って、次のコンピュータプログラムが提供される：ランダムアクセスチャネルで送信されるアップリンクメッセージに含める情報を優先順位付けするブロードキャスト指示子を受信すること、を装置が実行できるように構成される命令と；前記ブロードキャスト指示子に従って優先順位付けされる情報を含む前記アップリンクメッセージを、最大メッセージサイズを超過しないように構成すること、を前記装置が実行できるように構成される命令と；を含む、コンピュータプログラム。
【００１７】
前述の処理システムは、少なくとも一つのプロセッサと、コンピュータプログラムを格納する少なくとも一つのメモリとを備えてもよい。少なくとも一つのメモリとコンピュータプログラムコードは、少なくとも一つのプロセッサを用いて、装置に少なくとも前述の動作を実行させる。
【００１８】
前述のコンピュータプログラムはコンピュータ可読メモリに格納されてもよい。
【００１９】
さらに、本発明の特徴と有利な点も、添付の図面を参照しながら、ほんの一例として示される本発明の好適な実施形態に関する以降の記述によって明らかにされる。
【図面の簡単な説明】
【００２０】
【図１】隣接無線ネットワークセルと特定のセル内にあるユーザ装置の概略図である。本発明の実施形態が有利に実施され得る例示的環境を示す。
【図２】本発明の例示的実施形態に従う個別のステップと判断を模式的示す処理フロー図である。
【図３Ａ】本発明の例示的実施形態に従う方法の動作、およびコンピュータ可読メモリに実装されるコンピュータプログラム命令の実行結果を、ネットワークアクセスノードとユーザ装置の各視点から示した論理フロー図である。
【図３Ｂ】本発明の例示的実施形態に従う方法の動作、およびコンピュータ可読メモリに実装されるコンピュータプログラム命令の実行結果を、ネットワークアクセスノードとユーザ装置の各視点から示した論理フロー図である。
【図４】本発明の例示的実施形態を実行するのに適する例示的電子デバイスである無線ネットワークコントローラRNCとノードB，これらを備える無線ネットワークに接続するUEの例を示す簡易ブロック図である。
【詳細な説明】
【００２１】
図1で、基地局Bは基地局Aに隣接して異なる周波数を有し、基地局Cは基地局Aに隣接して同一周波数を有すると仮定する。UEは両方の測定を行うが、RRC接続要求メッセージには両測定結果を含められる十分な領域がない。「背景」の節で記述したような現行の3GPPにUEが準拠している場合、UEは同一周波数隣接セルの基地局Cに関する測定結果のみを常に送信し、周波数の異なる基地局Bの隣接セル測定結果を省略することになる。
【００２２】
一般に、基地局／セルは、UEに接続する際に基地局／セルAとして同一の無線周波数を使用していれば、基地局／セルAと同一周波数であると見做される。UEに接続する際に基地局／セルAとは異なる無線周波数を使用していれば、その基地局／セルは基地局／セルAとは異なる周波数であると見做される。
【００２３】
ネットワークの中には、負荷のバランス保持や特定のサービスのためという理由で、RRC接続が別の周波数にリダイレクト可能であるかを決定するために異なる周波数の結果を用いるものがある。UEがこうした結果を省略する場合、現行の3GPPの仕様では、ネットワークはもはや、リダイレクトの可能性を決定するためにこの情報を利用できない。UEが報告できる情報に対してCCHメッセージサイズが制限されるときは常にそうである。このことは、ネットワーク負荷のバランスを保つ特定のアルゴリズムに影響を及ぼし、リダイレクトの信頼性にも影響を及ぼす可能性がある。しかし、実際に多くの一般的なケースでは、基地局がUEを別の周波数にリダイレクトするために異周波数の結果を使用する。UEの接続設定におけるソフトハンドオーバーに同一周波数の測定結果を用いることは、実際にはそれほど一般的ではない。
【００２４】
本発明の例示的実施形態では、基地局A等のネットワークは、UEに異周波数の測定結果を報告させ、CCCHメッセージサイズで両方を許容できない場合、同一周波数の測定結果を省略させる動作を実行する。ある実施形態では、ネットワークはトランスポートブロックサイズが全測定結果を含めるほど十分でない場合、含めるべきまたは省略すべきRACH測定結果の優先順位付けの実行方法をシグナリングで示し、この選択を実行する。
【００２５】
またある実施形態では、ネットワークは異周波数の測定結果を利用して、異周波数の測定結果が同一周波数の測定結果よりも優先することを示してもよい。この実施形態では、ネットワークはブロードキャストするシステム情報においてこの指示を行う。このケースでは、UEはシステム情報内の指示を読み取ることに応じて、メッセージサイズが制限を超過しないように、最初に同一周波数の測定結果を省略しなくてはならない。例えば、この指示はシステム情報内の1ビットのみで実装されることもできる。このビットが特定の値を持つ場合、UEは同一周波数の測定結果を最初に省略しなくてはならない。ビットがそれと反対の値を持つか、何もブロードキャストされない場合、UEは、現行の柔軟性のない3GPPの仕様に従って異周波数の測定結果を最初に省略しなくてはならない。
【００２６】
前述の実施形態が特定の無線仕様に実装されるように採用されてもよい。例として、そうした仕様が、例示であり限定するものでない次の事項を包含してもよい。これは、本発明の当該側面における実施例を反映するために「背景」の節から引用している：
1>CCCHに送信されるメッセージに関しては、「RACH測定結果」の情報要素を形成する際、メッセージの最大許容サイズを超えないように留意する。すなわち、包含する隣接セル数を制限するか、要求される場合、「RACH測定結果」の情報要素を完全に省略する。包含する隣接セル数を制限する場合：
2>「異周波数RACH測定結果を優先する」情報要素が存在し、「真」と設定される場合、
3>同一周波数セルの数を最初に制限される、すなわち、異周波数セルの数を制限する前に同一周波数セルが削除される。
2>それ以外の場合：
3>異周波数セルの数を最初に制限される、すなわち、同一周波数セルの数を制限する前に異周波数セルが削除される。
【００２７】
別の実施形態では、前述のフレキシブルな優先度が新しいRACHメッセージタイプと共に使用される。新しいRACHメッセージタイプは（前述「背景」節で参照した）文献R2-104524に詳述されている。これにより、測定結果がRACHメッセージのサイズ上限を超過するような事態を減らすことができる。しかし、測定結果の一部が省略されなくてはならない場合、システム情報の指示子に従って同一周波数の測定結果を削除することにより、UEがUL RACHメッセージに含む異周波数測定に基づいて、ネットワークがリダイレクトを実行できるようにする。前述の測定結果の優先指示を第1指示とする場合、ネットワークは、新規RACHメッセージタイプをサポートするか否かを示す第2指示をブロードキャストしてもよい。例えば、第1および第2指示子はシステム情報の2ビットとして実装されることができる。1ビットは異周波数／同一周波数測定結果を優先順位付けする方法を示す第1指示子として、もう1ビットは新規RACHメッセージタイプをサポートするか否かを示す第2指示子として、実装することもできる。
【００２８】
新規RACHメッセージタイプの使用の有無に依らない更なる例示的実施形態において、ネットワークは、特定のUEの機能よりも特定のRACH測定結果を優先してUL RACHメッセージに含めるかどうかを示す第3指示子を送信する。この第3指示子は先に詳述した第2指示子の有無に拘わらず種々の実施形態で使用されてもよい。そのため、この第3指示子は追加指示子として代替的に参照される。例えば、ネットワークは、リリース8以前の機能しかサポートしないことを示すために、この第3または追加指示子を使用してもよい。リリース9またはリリース10と互換性のあるUEは、リリース9または10に特有の機能をサポートしているかどうかをRACHメッセージで示す必要がない。それを示したとしても、ネットワークはそれらの機能を利用できないからである。この第3または追加指示子から、UEは、リリース9／10の機能よりも測定結果を優先してUL RACHメッセージに含めることを知る。第1指示子（別のRACHメッセージタイプが用いられる場合は第2指示子も）以外の追加ビットが、この第3または追加指示子のためにシステム情報に追加される。例えば、ネットワークがどのリリースをサポートするか、そしてUEがどのリリースの機能をRACHメッセージから削除できるかを示すために列挙型が用いられてもよい。
【００２９】
図2は、前述の処理例の概略を模式的に示している。ブロック202で、ネットワークは、UL CCCH／RACHメッセージに含める測定結果を優先順位付けする優先順位付け情報（指示）をBCCHでブロードキャストする。ブロック204で、UEはBCCHをリスンした後、接続確立をトリガーし、RRC接続要求メッセージを構成する。ブロック206で、UEはメッセージ送信前に、そのメッセージのサイズをCCCH／RACHのトランスポートブロックサイズの最大許容量に照らしてチェックする。ブロック206で調べたメッセージサイズが最大値を超えない場合、ブロック208が適用され、UEはブロック204で構成したRRC接続要求メッセージを送信する。ブロック206で調べたメッセージサイズが最大値を超える場合、ブロック210が適用され、UEは、ブロック202でネットワークがシグナルした優先順位付けの順で情報要素IEを削除する。
【００３０】
例えば、ブロック210は次のように動作する：ネットワークが前述の第3または追加指示子を送信する場合、その第3／追加指示子が示す通り、UEは、ブロック204で構成したメッセージに含まれる自身の機能のうち、ネットワーク自身の機能を超える機能の何れかを、そのメッセージから選択的に落とす。UEはブロック206でメッセージサイズを再チェックし、まだ最大値を超えている場合は、ブロック210に再び入る。ブロック202でブロードキャストされた前述の第1指示子から、UEは、同一周波数測定結果と異周波数測定結果の優先度について第1指示子が何れを示そうとも、ブロック204で構成されたメッセージの残りの中から何れかの測定結果を選択的に落とす。
【００３１】
図3Aおよび3Bは、本発明の例示的実施形態を記述する論理フロー図をネットワークアクセスノードとユーザ装置のそれぞれの視点から示している。図3Aおよび3Bの各々は、方法の動作と、コンピュータ可読メモリに格納されるコンピュータ命令のプログラムの実行結果、電子デバイスが動作するように、その電子デバイスの要素が構成される特定の方法を示すものと見做される。図3Aおよび3Bの種々のブロックも、接続して論理回路を構成する複数の要素として、関連する機能やメモリに格納されるコンピュータプログラム命令の記述の特定に結果を実行するものと見做される。
【００３２】
図3Aの基地局の視点からでは、ブロック302で、ランダムアクセスチャネルで送信されるアップリンクメッセージに含める情報の優先順位付け方法をユーザ装置に指示する指示子をブロードキャストする。図3Aの追加要素は選択可能なもので、色々と前述した特定の例示的実施形態に関連する。
【００３３】
ブロック304では以下を規定する：指示子の第1の値によって、同一周波数の測定結果よりも異周波数の測定結果を優先してアップリンクメッセージに含めるようUEに指示する；指示子の第2の値またはブロードキャストされる指示子の完全省略によって、異周波数の測定結果よりも同一周波数の測定結果を優先してアップリンクメッセージに含めるようUEに指示する。基地局の視点においては、第1ケースで第1の値を有する指示子をブロードキャストし、第2ケースで第2の値を有する指示子をブロードキャストするか、指示子を全くブロードキャストしないために、ブロック302と304は統合されてもよい。ネットワーク／基地局は適切だと見做す通りにこれら指示子の値を変更する（またはブロードキャストしないようにする）ことが可能であるためである。
【００３４】
ブロック306で、ブロック302／304の指示子が第1指示子であると見做される場合、基地局は別のメッセージタイプをサポートすることを示す第2指示子をシステム情報にブロードキャストする。
【００３５】
ブロック308で、基地局は、ユーザ装置の機能よりも隣接セル測定結果を優先して、ランダムアクセスチャネルで送信されるアップリンクメッセージに含めるようにする第3または追加指示子をブロードキャストする。このブロックはブロック306と統合されてもよいが必須ではない。
【００３６】
図3BのUEの視点からでは、ブロック310で、ランダムアクセスチャネルで送信されるアップリンクメッセージに含める情報の優先順位付けする指示子を受信する。ブロック312で、UEは、ブロードキャスト指示子に従って優先順位付けされる情報を含むアップリンクメッセージを、最大メッセージサイズを超過しないように構成する。図3Bの追加要素は選択可能なもので、これまでに色々と説明した様々な特定の例示的実施形態に関連する。
【００３７】
ブロック314では以下を規定する：指示子の第1の値によって、同一周波数の測定結果よりも異周波数の測定結果が優先してアップリンクメッセージに含まれることを指示する；指示子の第2の値またはブロードキャストされる指示子の省略がどちらも、異周波数の測定結果よりも同一周波数の測定結果が優先してアップリンクメッセージに含まれることを指示する。
【００３８】
ブロック310で受信した指示子が第1指示子であると見做される場合、UEはブロック316で、アクセスノードが別のメッセージタイプをサポートすることを示すブロードキャストされた第2指示子をシステム情報において受信する。ここで、メッセージタイプのうち別のものは優先順位付けされた情報に対して異なる容量を許容する。
【００３９】
ブロック318で、UEは、ユーザ装置の機能よりも隣接セル測定結果を優先して、RACHで送信されるアップリンクメッセージに含めるようにする、ブロードキャストされた第3または追加指示子を受信する。このブロックはブロック316と統合されてもよいが必須ではない。このケースでは、ブロック312でメッセージを構成することは、UEがブロードキャストされた第1および第3／追加指示子に従って優先順位付けされる情報を含むアップリンクメッセージを、最大メッセージサイズを超過しないように構成することを意味する。
【００４０】
図3Aおよび3Bのブロックとそれらが示す機能は、非限定的な実施例であって、集積回路チップやモジュール等の種々の要素で実行されてもよい。本発明の例示的実施形態は、集積回路として実装される装置で実現されうる。集積回路または回路は、少なくとも１つ以上のデータプロセッサ、デジタル信号プロセッサやプロセッサ、ベースバンド回路、および本発明の例示的実施形態に従って動作するように構成される無線周波数回路を実装する回路（ファームウェアである可能性もある）を含んでもよい。
【００４１】
これらの例示的実施形態における技術的効果と有利な点は、UEがRRC接続要求メッセージの内容をより効率的に優先順位付けできることであり、前述の第2および／または第3指示子を用いて更に高い効果が得られる。本願で説明した解決方法はまた、ネットワークの機能の冗長性を排し、機能が利用不可能であったり信頼性が低下したりする状況を回避する。そして、UTRANとE-UTRANの将来のリリースに対する実行可能なメッセージを維持するために、RRC接続要求メッセージを拡張する汎用フレームワークも提供できる。
【００４２】
次に図4を参照する。図4は、本発明の例示的実施形態を実行するのに適する種々の電子デバイスと装置の実施例の簡易ブロック図を示す。図4では、無線ネットワーク（基地局22とRNC24）が無線リンク21を介してUE20または携帯端末等の装置と通信するために適している。UE20は、基地局や中継局，より具体的には基地局22等のネットワークアクセスノードを介して通信する。ネットワークはRNC24等のノードを備えてもよく、それは、公衆交換電話網（PSTN）および／またはデータ通信ネットワークやインターネット等のさらに別のネットワークへの接続を提供する。
【００４３】
UE20は次の手段を備える：少なくとも一つのデータプロセッサ（DP）20A等の処理手段；少なくとも一つのコンピュータプログラム（PROG）20Cを格納する、少なくとも一つのコンピュータ可読メモリ（MEM）20B等の記憶手段；一つ以上のアンテナ20Fを介して基地局22と双方向無線通信するための送信機TX20Dと受信機RX20E等の通信手段。またMEM20Bには、ブロードキャストチャネルで受信した指示子の値に従ってRRC接続要求メッセージを優先順位付けするアルゴリズムや一連の規則20Gが格納されている。
【００４４】
基地局22も次の手段を備える：少なくとも一つのデータプロセッサ（DP）22A等の処理手段；少なくとも一つのコンピュータプログラム（PROG）22Cを格納する、少なくとも一つのコンピュータ可読メモリ（MEM）22B等の記憶手段；一つ以上のアンテナ22Fを介してUE20と双方向無線通信するための送信機TX22Dと受信機RX22E等の通信手段。基地局22とRNC24とを繋ぐデータおよび／または制御通信路25と、基地局22と他の基地局／アクセスノードとを繋ぐデータおよび／または制御通信路23もある。また基地局22のMEM22Bには、ブロードキャストチャネルで受信した指示子の値に従ってRRC接続要求メッセージを優先順位付けするアルゴリズムや一連の規則20Gが格納される。こうして、基地局22はブロードキャストする指示子にどの値を設定するかが分かる。
【００４５】
RNC24は次の手段を備える：少なくとも一つのデータプロセッサ（DP）24A等の処理手段；少なくとも一つのコンピュータプログラム（PROG）24Cを格納する、少なくとも一つのコンピュータ可読メモリ（MEM）24B等の記憶手段；データ／制御通信路25を介して基地局22と双方向無線通信するためのモデム24H等の通信手段。UE20や基地局22で特に図示してしないが、これらのデバイスは無線通信手段の一部としてモデムを備えるものも想定される。モデムは、これらのデバイス20，22内でTX20D／22DとRX20E／22Eを実行する無線フロントエンドチップに内蔵されてもよい。
【００４６】
UE20の少なくとも一つのPROG20Cは、プログラム命令を含むと想定される。プログラム命令は、関連するDP20Aで実行されると、デバイスを本発明の実施形態に従って動作可能にする。UE20および基地局22も、DLでブロードキャストされる標示／指示子を実装するために、こうした教示の側面を実装するソフトウェアを有してもよい。この点において、本発明の例示的実施形態は、UE20のDP20Aおよび／または基地局22のDP22A，ハードウェア，または有形の格納されたソフトウェアとハードウェア（および有形の格納されたファームウェア）の組み合わせが実行する、MEM20B，22Bに格納されるコンピュータプログラムによって少なくとも部分的に実装されてもよい。本発明のこれらの側面を実装する電子デバイスは、UE20や基地局22全体である必要はないが、例示的実施形態は、前述の有形の格納されたソフトウェアやハードウェア，ファームウェアとDP，システム・オン・チップ（SOC），特定用途向け集積回路（ASIC）等の一つ以上の同種の構成要素で実装されてもよい。
【００４７】
一般に、ユーザ端末20の種々の実施形態は、無線通信機能を有するパーソナル・ポータブル・デジタルデバイスを含むが、これらに限定されない。パーソナル・ポータブル・デジタルデバイスは携帯電話やナビゲーションデバイス，ラップトップ／パームトップ／タブレットコンピュータ，デジタルカメラ，音楽デバイス，インターネット家電製品等を含むが、これらに限定されない。
【００４８】
これらの技術の例示的実施形態は、UEやその一つ以上の構成要素等で具現化されうる。こうした構成要素は本願では一括して装置と呼んでいる。これらの技術の他の例示的実施形態は、基地局やより一般的に無線アクセスノード，またはその一つ以上の構成要素等で具現化されうる。こうした構成要素も本願では一括して装置と呼んでいる。
【００４９】
コンピュータ可読MEM20B・22B・24Bの種々の実施形態は、当該技術分野に適合するあらゆる種類のデータ記憶技術を含み、半導体ベースの記憶デバイスや磁気記憶デバイス・システム，光記憶デバイス・システム，固定メモリ，リムーバブルメモリ，ディスクメモリ，フラッシュメモリ，DRAM，SRAM，EEPROM等を含む。ただし、これらに限定されない。DP20A・22A・24Aの種々の実施形態は汎用コンピュータや特定用途向けコンピュータ，マイクロプロセッサ，デジタルシグナルプロセッサ（DPS），マルチコアプロセッサを含むが、これらに限定されない。
【００５０】
上述した本発明の例示的実施形態への種々の修正変更は、上記記述を考慮すれば、関連する技術分野の当業者には明白となりうる。前述の例示的実施形態はUTRANシステムに関して記述されてきたが、当然ながら、本発明の例示的実施形態は例示した特定の種類の無線通信システムのみで使用可能と限定されるものではなく、E-UTRANやGERAN，RACHアクセス手続を利用する他の無線通信システムにおいても有用である。
【００５１】
前述の実施形態は本発明の実例として理解されるべきものであり、他の実施形態も想定される。何れかの実施形態に関連して記述された機能・構成は何れも、単独で使用されてもよく、前述した他の機能・構成と組み合わせられてもよい。さらに、別の実施形態や実施形態同士のあらゆる組み合わせからの一つ以上の機能・構成と組み合わせられてもよい。さらに、本発明を逸脱しない範囲で、前述にはない等価な構成や変形が採用されてもよい。こうした構成は、添付の特許請求の範囲で定義される。  
【図１】
2014505446.tif 000003
【図３Ａ】
2014505446.tif 000004
【図３Ｂ】
2014505446.tif 000005
【図４】
2014505446.tif 000006
【図２】
2014505446.tif 000007
【国際調査報告】
2014505446.tif 000008
2014505446.tif 000009
2014505446.tif 000010